(57)【要約】【課題】ホームルータを介して外部ネットワークに接続している端末装置が、災害発生時にも外部ネットワークに接続することができる通信システムを提供する。【解決手段】通信システムは、モバイルルータと、ホームルータと、緊急地震速報の発令時にはモバイルルータに緊急地震速報が発令された旨を通知する緊急地震速報管理サーバと、を含み、モバイルルータは、緊急地震速報管理サーバから緊急地震速報が発令された旨の通知を受けた際に、ＳＳＩＤを固定値とし、かつ、暗号化キーを無効化するように設定変更を行い、ホームルータは、有線通信回線を介して外部ネットワークに接続する親機モードと、モバイルルータに接続しモバイルルータを経由して外部ネットワークに接続する中継機モードと、を有し、有線通信回線が断線したことを検出した場合に、親機モードから中継機モードへと移行する。【選択図】図１
2020061697.tif 000002
【特許請求の範囲】
【請求項１】
無線通信回線を介して外部ネットワークに接続する携帯型ルータであるモバイルルータと、
有線通信回線を介して前記外部ネットワークに接続する据え置き型ルータであるホームルータと、
緊急地震速報が発令されたか否かを監視し、緊急地震速報の発令時には前記モバイルルータに緊急地震速報が発令された旨を通知する緊急地震速報管理サーバと、を含み、
前記モバイルルータは、前記緊急地震速報管理サーバから緊急地震速報が発令された旨の通知を受けた際に、ＳＳＩＤを固定値とし、かつ、暗号化キーを無効化するように設定変更を行い、
前記ホームルータは、前記有線通信回線を介して前記外部ネットワークに接続する親機モードと、前記モバイルルータに接続し前記モバイルルータを経由して前記外部ネットワークに接続する中継機モードと、を有し、前記有線通信回線が断線したことを検出した場合に、前記親機モードから前記中継機モードへと移行する、通信システム。
【請求項２】
前記ホームルータは、前記有線通信回線からパケットを受信し、かつ、前記モバイルルータから切断されたことを確認した場合に、前記中継機モードから前記親機モードへ移行する、請求項１に記載の通信システム。
【請求項３】
緊急地震速報管理サーバにおいて、緊急地震速報の発令時に、無線通信回線を介して外部ネットワークに接続する携帯型ルータであるモバイルルータに対して緊急地震速報が発令された旨を通知するステップと、
前記モバイルルータにおいて、緊急地震速報が発令されたか否かを監視し、前記緊急地震速報管理サーバから緊急地震速報が発令された旨の通知を受けた際に、ＳＳＩＤを固定値とし、かつ、暗号化キーを無効化するように設定変更を行うステップと、
有線通信回線を介して前記外部ネットワークに接続する据え置き型ルータであるホームルータにおいて、前記有線通信回線が断線したことを検出した場合に、前記有線通信回線を介して前記外部ネットワークに接続する親機モードから、前記モバイルルータに接続し前記モバイルルータを経由して前記外部ネットワークに接続する中継機モードへと移行するステップと、を有する通信制御方法。
【請求項４】
前記ホームルータにおいて、前記有線通信回線からパケットを受信し、かつ、前記モバイルルータから切断されたことを確認した場合に、前記中継機モードから前記親機モードへ移行するステップをさらに有する、請求項３に記載の通信制御方法。
【請求項５】
緊急地震速報管理サーバのコンピュータにおいて、緊急地震速報の発令時に、無線通信回線を介して外部ネットワークに接続する携帯型ルータであるモバイルルータに対して緊急地震速報が発令された旨を通知する処理を実行させ、
前記モバイルルータのコンピュータにおいて、緊急地震速報が発令されたか否かを監視し、前記緊急地震速報管理サーバから緊急地震速報が発令された旨の通知を受けた際に、前記モバイルルータのＳＳＩＤを固定値とし、かつ、前記モバイルルータの暗号化キーを無効化するように設定変更を行う処理を実行させ、
有線通信回線を介して前記外部ネットワークに接続する据え置き型ルータであるホームルータのコンピュータにおいて、前記有線通信回線が断線したことを検出した場合に、前記有線通信回線を介して前記外部ネットワークに接続する親機モードから、前記モバイルルータに接続し前記モバイルルータを経由して前記外部ネットワークに接続する中継機モードへと移行する処理を実行させる、プログラム。
【請求項６】
前記ホームルータのコンピュータにおいて、前記有線通信回線からパケットを受信し、かつ、前記モバイルルータから切断されたことを確認した場合に、前記中継機モードから前記親機モードへ移行する処理を実行させる、請求項５に記載のプログラム。
【発明の詳細な説明】
【技術分野】
【０００１】
本発明は、通信装置、通信制御方法及びプログラムに関する。
【背景技術】
【０００２】
近年、無線通信技術は、通信速度や使い勝手の向上により、家庭内、会社内、学校内など、さまざまな場所で広く利用されている。無線通信装置としては、いわゆるアクセスポイントとして利用されるホームルータを始め、外出先でも外部ネットワークとしてのインターネット網へアクセスできる携帯可能なモバイルルータなど、種々の機能を備えたものも提案されている。
【０００３】
このような無線通信において、災害発生時にも端末装置から外部ネットワークへの接続を可能にする技術が開発されている。特許文献１には、災害発生時に、端末装置（利用者端末）において、災害アプリケーションを起動し、災害用ＳＳＩＤに基づいて災害モードのアクセスポイントと通信を行うようにすることが開示されている。また、特許文献１には、災害モードのアクセスポイントと通信する際に通信データの暗号化・複合化は行わないようにすることが開示されている。
【先行技術文献】
【特許文献】
【０００４】
【特許文献１】特開２０１７−０５５３４２号公報
【発明の概要】
【発明が解決しようとする課題】
【０００５】
端末装置のアクセスポイントであるホームルータは、光回線事業者の収容局と光回線などの有線通信回線により接続されている。しかしながら、災害発生時に光回線が断線した場合に端末装置からホームルータを介して外部ネットワークとしてのインターネット網に接続している利用者が、インターネット網に接続できなくなる場合があった。
【０００６】
本開示の目的は、以上の背景に鑑みなされたものであり、ホームルータを介して外部ネットワークに接続している端末装置が、災害発生時にも外部ネットワークに接続することができる通信システムを提供することにある。
【課題を解決するための手段】
【０００７】
一態様による通信システムは、無線通信回線を介して外部ネットワークに接続する携帯型ルータであるモバイルルータと、有線通信回線を介して前記外部ネットワークに接続する据え置き型ルータであるホームルータと、緊急地震速報が発令されたか否かを監視し、緊急地震速報の発令時には前記モバイルルータに緊急地震速報が発令された旨を通知する緊急地震速報管理サーバと、を含み、前記モバイルルータは、前記緊急地震速報管理サーバから緊急地震速報が発令された旨の通知を受けた際に、ＳＳＩＤを固定値とし、かつ、暗号化キーを無効化するように設定変更を行い、前記ホームルータは、前記有線通信回線を介して前記外部ネットワークに接続する親機モードと、前記モバイルルータに接続し前記モバイルルータを経由して前記外部ネットワークに接続する中継機モードと、を有し、前記有線通信回線が断線したことを検出した場合に、前記親機モードから前記中継機モードへと移行する。
【０００８】
一態様による通信制御方法は、緊急地震速報管理サーバにおいて、緊急地震速報の発令時に、無線通信回線を介して外部ネットワークに接続する携帯型ルータであるモバイルルータに対して緊急地震速報が発令された旨を通知するステップと、前記モバイルルータにおいて、緊急地震速報が発令されたか否かを監視し、前記緊急地震速報管理サーバから緊急地震速報が発令された旨の通知を受けた際に、ＳＳＩＤを固定値とし、かつ、暗号化キーを無効化するように設定変更を行うステップと、有線通信回線を介して前記外部ネットワークに接続する据え置き型ルータであるホームルータにおいて、前記有線通信回線が断線したことを検出した場合に、前記有線通信回線を介して前記外部ネットワークに接続する親機モードから、前記モバイルルータに接続し前記モバイルルータを経由して前記外部ネットワークに接続する中継機モードへと移行するステップと、を有する。
【０００９】
一態様によるプログラムは、緊急地震速報管理サーバのコンピュータにおいて、緊急地震速報の発令時に、無線通信回線を介して外部ネットワークに接続する携帯型ルータであるモバイルルータに対して緊急地震速報が発令された旨を通知する処理を実行させ、前記モバイルルータのコンピュータにおいて、緊急地震速報が発令されたか否かを監視し、前記緊急地震速報管理サーバから緊急地震速報が発令された旨の通知を受けた際に、前記モバイルルータのＳＳＩＤを固定値とし、かつ、前記モバイルルータの暗号化キーを無効化するように設定変更を行う処理を実行させ、有線通信回線を介して前記外部ネットワークに接続する据え置き型ルータであるホームルータのコンピュータにおいて、前記有線通信回線が断線したことを検出した場合に、前記有線通信回線を介して前記外部ネットワークに接続する親機モードから、前記モバイルルータに接続し前記モバイルルータを経由して前記外部ネットワークに接続する中継機モードへと移行する処理を実行させる。
【発明の効果】
【００１０】
上述の態様によれば、ホームルータを介してインターネット網に接続している端末装置が、災害発生時にも外部ネットワークに接続することができる。
【図面の簡単な説明】
【００１１】
【図１】実施の形態１にかかる通信システムの構成を示すブロック図である。
【図２】実施の形態２にかかる通信システムに含まれるモバイルルータの構成を示すブロック図である。
【図３】実施の形態２にかかる通信システムに含まれるホームルータの構成を示すブロック図である。
【図４】実施の形態２にかかる通信システムの構成と通常時における通信経路を示す模式図である。
【図５】実施の形態２にかかる通信システムの緊急時における通信経路を示す模式図である。
【図６】実施の形態２にかかる通信システムの緊急時における通信経路を示す模式図である。
【図７】実施の形態２にかかる通信システムのモバイルルータと緊急地震速報管理サーバとのやり取りを示すシーケンスチャートである。
【図８】実施の形態２にかかる通信システムのホームルータの緊急時における動作の流れについて示すフローチャートである。
【図９】実施の形態２にかかる通信システムのモバイルルータにおける、光回線の復旧時の動作の流れを示すフローチャートである。
【図１０】光回線の復旧時における実施の形態２にかかる通信システムのホームルータの動作の流れを示すフローチャートである。
【発明を実施するための形態】
【００１２】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１３】
［実施の形態１］
図１は、実施の形態１にかかる通信システムの構成を示すブロック図である。図１に示すように、通信システム１０は、モバイルルータ１と、ホームルータ２と、緊急地震速報管理サーバ３と、を含む。
【００１４】
モバイルルータ１は、無線通信回線Ｌ１を介して外部ネットワーク５に接続する携帯型ルータである。ホームルータ２は、有線通信回線Ｌ２を介して外部ネットワーク５に接続する据え置き型ルータである。緊急地震速報管理サーバ３は、緊急地震速報が発令されたか否かを監視し、緊急地震速報の発令時にはモバイルルータ１に緊急地震速報が発令された旨を通知する。
【００１５】
モバイルルータ１は、緊急地震速報管理サーバ３から緊急地震速報が発令された旨の通知を受けた際に、ＳＳＩＤを固定値とし、かつ、暗号化キーを無効化するように設定変更を行う。ホームルータ２は、有線通信回線Ｌ２を介して外部ネットワーク５に接続する親機モードと、モバイルルータ１に接続しモバイルルータ１を経由して外部ネットワーク５に接続する中継機モードと、を有し、有線通信回線Ｌ２が断線したことを検出した場合に、親機モードから中継機モードへと移行する。
【００１６】
このようにすることで、ホームルータを介してインターネット網に接続している端末装置４が、災害発生時にも外部ネットワークに接続することができる。
【００１７】
［実施の形態２］
まず、実施の形態２にかかる通信システムに含まれるモバイルルータ１００の構成について説明する。モバイルルータ１００は、無線通信回線を介してインターネット網などの外部ネットワークに接続する携帯型のルータである。図２は、実施の形態２にかかる通信システムに含まれるモバイルルータ１００の構成を示すブロック図である。図２に示すように、モバイルルータ１００は、主制御部１０１と、電源管理部１０２と、電池１０３と、ＷｉＭＡＸ２＋網送受信回路部１０４と、ＷｉＭＡＸ２＋網インターフェース部１０５と、２ＧＨｚの無線ＬＡＮ送受信回路部１０６と、２ＧＨｚの無線ＬＡＮインターフェース部１０７と、緊急地震速報サーバ監視部１０８と、ＳＳＩＤ／暗号化キー切替判定部１０９と、を備えている。
【００１８】
主制御部１０１は、モバイルルータ１００の制御を司る。電源管理部１０２は、モバイルルータ１００の電源を制御する。電池１０３は、モバイルルータ１００における電源である。ＷｉＭＡＸ２＋網送受信回路部１０４は、ＷｉＭＡＸ２＋における送信・受信の制御を司る。ＷｉＭＡＸ２＋網インターフェース部１０５は、ＷｉＭＡＸ２＋におけるアンテナ、マッチング回路を含む。２ＧＨｚの無線ＬＡＮ送受信回路部１０６は、無線ＬＡＮ通信における送信・受信の制御を司る。２ＧＨｚの無線ＬＡＮインターフェース部１０７は、２ＧＨｚ無線ＬＡＮ通信におけるアンテナ、マッチング回路を含む。緊急地震速報サーバ監視部１０８は、緊急地震速報管理サーバ３００からの通知を監視する。ＳＳＩＤ／暗号化キー切替判定部１０９は、緊急地震速報サーバ監視部１０８からの情報に基づき、ＳＳＩＤ（Ｓｅｒｖｉｃｅ  Ｓｅｔ  Ｉｄｅｎｔｉｆｉｅｒ）や暗号化キーの切替を判定する。
【００１９】
次に、実施の形態２にかかる通信システムに含まれる、ホームルータ２００の構成について説明する。ホームルータ２００は、光回線などの有線通信回線を介してインターネット網などの外部ネットワークに接続する、据え置き型のルータである。図３は、実施の形態２にかかる通信システムに含まれるホームルータ２００の構成を示すブロック図である。図３に示すように、ホームルータ２００は、主制御部２０１と、２ＧＨｚの無線ＬＡＮ送受信回路部２０２と、２ＧＨｚの無線ＬＡＮインターフェース部２０３と、５ＧＨｚの無線ＬＡＮ送受信回路部２０４と、５ＧＨｚの無線ＬＡＮインターフェース部２０５と、有線ＬＡＮ送受信回路部２０６と、光回線インターフェース部２０７と、親機／中継機切替判定部２０８と、パケット受信監視部２０９と、を備えている。
【００２０】
主制御部２０１はホームルータ２００の制御を司る。２ＧＨｚの無線ＬＡＮ送受信回路部２０２は、２ＧＨｚ無線ＬＡＮおける送信・受信の制御を司る。２ＧＨｚの無線ＬＡＮインターフェース部２０３は、２ＧＨｚ無線ＬＡＮにおけるアンテナ、マッチング回路を含む。５ＧＨｚの無線ＬＡＮ送受信回路部２０４は、５ＧＨｚ無線ＬＡＮおける送信・受信の制御を司る。５ＧＨｚの無線ＬＡＮインターフェース部２０５は、５ＧＨｚ無線ＬＡＮにおけるアンテナ、マッチング回路を含む。有線ＬＡＮ送受信回路部２０６は、有線ＬＡＮの送受信の制御を司る。光回線インターフェース部２０７は、光回線へ接続するためのものである。親機／中継機切替判定部２０８は、動作モードで親機モード、中継機モード切り替えの制御を司る。パケット受信監視部２０９は、光回線側のパケット量を監視する。
【００２１】
次に、通常時と緊急時のそれぞれの場合について、実施の形態２にかかる通信システム５００の構成を説明する。
図４は、実施の形態２にかかる通信システム５００の構成と通常時における通信経路を示す模式図である。図４に示すように、通信システム５００は、モバイルルータ１００と、ホームルータ２００と、緊急地震速報管理サーバ３００と、を備えている。
【００２２】
モバイルルータ１００は、基地局４０１及び緊急地震速報管理サーバ３００を介して外部ネットワークとしてのインターネット網４０２と接続されている。緊急地震速報管理サーバ３００は、緊急地震速報が発令されたか否かを監視し、緊急地震速報の発令時には、モバイルルータ１００に発令フレームを送信する。モバイルルータ１００と基地局４０１は、ＷｉＭＡＸ２＋の無線回線で接続されている。モバイルルータ１００は、ＰＣやスマートフォンなどの端末装置である第１子機４０４と５ＧＨｚ無線ＬＡＮで接続されている。
【００２３】
ホームルータ２００は、インターネット網４０２と光回線事業者の収容局４０３を介して接続されている。ホームルータ２００と光回線事業者の収容局４０３は有線通信回線である光回線で接続されている。ホームルータ２００は、ＰＣやスマートフォンなどの端末装置である第２子機４０５と２ＧＨｚ無線ＬＡＮで接続されている。
【００２４】
つまり、第１子機４０４は、モバイルルータ１００、基地局４０１、緊急地震速報管理サーバ３００と経由する通信経路Ａによりインターネット網４０２と接続される。また、第２子機４０５は、ホームルータ２００、光回線事業者の収容局４０３と経由する通信経路Ｂによりインターネット網４０２と接続される。ホームルータ２００は、第２子機４０５のインターネット網４０２への接続において、アクセスポイントとしての役割を担う。
【００２５】
図５及び図６は、実施の形態２にかかる通信システム５００の緊急時における通信経路を示す模式図である。図５及び図６に示すように、地震などの災害が発生した緊急時には、図４を参照して説明した通常時と異なり、ホームルータ２００と光回線事業者の収容局４０３とを接続する光回線が断線する場合がある。このような場合には、図５に示すように、第２子機４０５は、ホームルータ２００、モバイルルータ１００、基地局４０１、緊急地震速報管理サーバ３００と経由する通信経路Ｃによりインターネット網４０２と接続される。ホームルータ２００とモバイルルータ１００とは、２ＧＨｚ無線ＬＡＮで接続される。つまり、ホームルータ２００は、第２子機４０５のインターネット網４０２への接続において、中継機としての役割を担う。このように、緊急時には、ホームルータ２００は、アクセスポイントとしての役割から中継機としての役割に切り替わる。
【００２６】
図５では、緊急時に光回線事業者の収容局４０３の光回線が断線したときに、第２子機４０５が接続しているホームルータ２００からモバイルルータ１００に中継することで第２子機４０５とインターネット網４０２との接続を確保するようにした。これに対し、第２子機４０５の近距離にモバイルルータ１００が存在する場合には、図６に示すように、第２子機４０５から直接、モバイルルータ１００へ接続して、第２子機４０５とインターネット網４０２との接続を確保するようにしてもよい。
【００２７】
次に、実施の形態２にかかる通信システム５００における、モバイルルータ１００と緊急地震速報管理サーバ３００とのやり取りについて説明する。なお、以下の説明では図２、図４及び図５についても適宜参照する。
図７は、モバイルルータ１００と緊急地震速報管理サーバ３００とのやり取りを示すシーケンスチャートである。図７に示すように、まず、モバイルルータ１００の電源をオンにする（ステップＳ１０１)。次に、モバイルルータ１００の起動完了後、ＷｉＭＡＸ２＋でモバイルルータ１００と緊急地震速報管理サーバ３００との接続が確立される（ステップＳ１０２）。
【００２８】
続いて、モバイルルータ１００と第１子機４０４との間で、２ＧＨｚ無線ＬＡＮ接続が確立される（ステップＳ１０３）。これにより、第１子機４０４からのインターネット通信が開始される（ステップＳ１０４）。ステップＳ１０４の後、緊急地震速報管理サーバ３００が緊急地震速報の発令を受信したとする（ステップＳ１０５）。ステップＳ１０５に続いて、緊急地震速報管理サーバ３００は、モバイルルータ１００に対し、緊急地震速報が発令された旨を通知するための発令フレームを送信する（ステップＳ１０６）。
【００２９】
続いて、緊急地震速報管理サーバ３００は、モバイルルータ１００に対し、元々使用していたＳＳＩＤから、緊急地震時に指定する固定ＳＳＩＤ（ＡＢＣ）への切替を要求するＳＳＩＤ切替要求フレーム送信する（ステップＳ１０７）。続いて、モバイルルータ１００における緊急地震速報サーバ監視部１０８において、ＳＳＩＤ切替要求フレームが受信されると、ＳＳＩＤ/暗号化キー切替判定部１０９は、今まで使用していたＳＳＩＤを、固定ＳＳＩＤ（ＡＢＣ）に切替する（ステップＳ１０８）。
【００３０】
続いて、モバイルルータ１００は、緊急地震速報管理サーバ３００に対し、要求通り、固定ＳＳＩＤ（ＡＢＣ）に切替した旨を通知するためのＳＳＩＤ切替完了フレームを送信する（ステップＳ１０９）。続いて、緊急地震速報管理サーバ３００は、あらゆる子機がアクセスできるように、モバイルルータ１００に対し、暗号化キーを無効に切替するよう要求する暗号化キー切替要求フレームを送信する（ステップＳ１１０）。
【００３１】
続いて、モバイルルータ１００の緊急地震速報サーバ監視部１０８において、暗号化キー切替要求フレームが受信されると、ＳＳＩＤ/暗号化キー切替判定部１０９は、今まで使用していた暗号化キーを無効に切替する（ステップＳ１１１）。続いて、モバイルルータ１００は、緊急地震速報管理サーバ３００に対し、要求通り、暗号化キーを無効に切替した旨を通知するための暗号化キー切替完了フレームを送信する（ステップＳ１１２）。続いて、モバイルルータ１００は、ホームルータ２００と２ＧＨｚ無線ＬＡＮ接続を確立する（ステップＳ１１３）。
【００３２】
次に、実施の形態２にかかる通信システム５００における、緊急時のホームルータ２００の動作の流れについて説明する。なお、以下の説明では、図２、図４及び図５についても適宜参照する。
【００３３】
図８は、緊急時のホームルータ２００の動作の流れについて示すフローチャートである。図８に示すように、まず、ホームルータ２００を通常の親機モードで電源オンにする（ステップＳ２０１）。続いて、ホームルータ２００の起動完了後、光回線事業者の収容局４０３の光回線への接続を確立する（ステップＳ２０２）。続いて、ホームルータ２００と第２子機４０５との間で、５ＧＨｚ無線ＬＡＮ接続が確立する（ステップＳ２０３）。これにより、第２子機４０５からのインターネット通信が開始される（ステップＳ２０４）。
【００３４】
ステップＳ２０４の後、光回線事業者の収容局４０３の光回線が断線した否かを判断する（ステップＳ２０５）。ステップＳ２０５において、光回線事業者の収容局４０３の光回線が断線していない場合、引き続き、第２子機４０５からのインターネット通信を継続する（ステップＳ２０６）。ステップＳ２０５において光回線事業者の収容局４０３の光回線が断線した場合、ホームルータ２００のパケット受信監視部２０９が、光回線側から、元々設定していた一定時間、パケットを受信していないことを検出する（ステップＳ２０７）。
【００３５】
ステップＳ２０７に続いて、ホームルータ２００の親機／中継機切替判定部２０８が、親機モードから中継機モードへ切替えを行う（ステップＳ２０８）。続いて、ホームルータ２００は、周囲のルータをサーチし、モバイルルータ１００の固定値のＳＳＩＤ（ＡＢＣ）を検出する（ステップＳ２０９）。続いて、モバイルルータ１００との２ＧＨｚ無線ＬＡＮ接続を確立する（ステップＳ２１０）。続いて、第２子機４０５とホームルータ２００との間における５ＧＨｚ無線ＬＡＮ接続を確立する（ステップＳ２１１）。続いて、第２子機４０５からのインターネット通信が開始される（ステップＳ２１２）。
【００３６】
以上より、本実施形態にかかる通信システム５００は、地震などの災害発生時に、ホームルータ２００が、アクセスポイントから中継機に切り替わるので、端末装置である第２子機では設定変更を気にすることなく通信することができる。
【００３７】
次に、通信システム５００において、断線していた光回線事業者の収容局４０３の光回線における復旧工事が完了した時の処理について説明する。緊急地震速報が解除されて、かつ、断線していた光回線の復旧工事が完了した場合、モバイルルータ１００は、固定値のＳＳＩＤ（ＡＢＣ）を通常時のＳＳＩＤに切り替え、暗号化キーも通常時の暗号化キーに切り替えを行う。また、ホームルータ２００は、通常の中継機モードから、親機モードに切り替えを行う。これにより、第２子機４０５は、緊急地震速報発令による光回線断線する前の通信経路にてインターネット網４０２に接続される。
【００３８】
図９は、モバイルルータ１００における光回線の復旧時の動作の流れを示すフローチャートである。図９に示すように、まず、緊急地震速報が解除されたか否か確認する（ステップＳ３０１）。ステップＳ３０１で緊急地震速報が解除されたことを確認した場合、光回線工事が完了したか否かを確認する（ステップＳ３０２）。ステップＳ３０２において、光回線工事が完了した場合、緊急地震速報管理サーバ３００はモバイルルータ１００に対し、ＳＳＩＤ／暗号化キーを通常時の値への切替を要求する（ステップＳ３０３）。切替要求を受けたモバイルルータはＳＳＩＤ／暗号化キーを通常時の値へ切り替える（ステップＳ３０４）。続いて、第１子機４０４との間における２ＧＨｚ無線ＬＡＮ接続を確立する（ステップＳ３０５）。
【００３９】
図１０は、光回線の復旧時のホームルータ２００の動作の流れを示すフローチャートである。図１０に示すように、まず、光回線からパケットを受信したか否かを確認する（ステップＳ４０１）。ステップＳ４０１において、光回線からパケットを受信した場合、モバイルルータ１００から切断されたか否かを確認する（ステップＳ４０２）。ステップＳ４０２において、モバイルルータ１００から切断されたことを確認した場合、中継機モードから親機モードに変更する（ステップＳ４０３）。続いて、第２子機４０５との間における５ＧＨｚ無線ＬＡＮ接続を確立する（ステップＳ４０４）。
【００４０】
以上より、モバイルルータ１００、ホームルータ２００において、それぞれ、図９、図１０で説明した動作を行うことにより、第１子機４０４、第２子機４０５は、それぞれ、緊急地震速報発令前の通信経路にてインターネット網４０２に接続される。
【００４１】
なお、以上、実施の形態を参照して本開示について説明したが、本開示は上記の実施の形態に限定されるものではない。本開示の構成や詳細には、本願発明のスコープ内で当業者が理解し得る様々な変更をすることができる。
【００４２】
上述の実施の形態では、本開示をハードウェアの構成として説明したが、本開示は、これに限定されるものではない。本開示は、各処理を、ＣＰＵ（Ｃｅｎｔｒａｌ  Ｐｒｏｃｅｓｓｉｎｇ  Ｕｎｉｔ）に制御プログラムを実行させることにより実現することも可能である。
【００４３】
具体的には、制御プログラムは、緊急地震速報管理サーバのコンピュータにおいて、緊急地震速報の発令時に、モバイルルータに対して緊急地震速報が発令された旨を通知する処理を実行させる。
【００４４】
また、制御プログラムは、モバイルルータにコンピュータにおいて、緊急地震速報が発令されたか否かを監視する。そして、制御プログラムは、モバイルルータのコンピュータにおいて、緊急地震速報が発令された旨の通知を受けた際に、モバイルルータのＳＳＩＤを固定値とし、かつ、モバイルルータの暗号化キーを無効化するように設定変更を行う処理を実行させる。
【００４５】
また、制御プログラムは、ホームルータのコンピュータにおいて、有線通信回線が断線したことを検出する処理を実行させる。ホームルータは、有線通信回線を介して外部ネットワークに接続する親機モードと、モバイルルータに接続しモバイルルータを経由して外部ネットワークに接続する中継機モードと、を有する。そして、制御プログラムは、ホームルータのコンピュータにおいて、有線通信回線が断線したことを検出した場合に、親機モードから中継機モードへと移行する処理を実行させる。
【００４６】
さらに、制御プログラムは、ホームルータのコンピュータにおいて、有線通信回線からパケットを受信し、かつ、モバイルルータから切断されたことを確認した場合に、中継機モードから親機モードへ移行する処理を実行させるようにしてもよい。
【００４７】
上述の通信システムを実現するための制御プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４８】
１、１００  モバイルルータ
２、２００  ホームルータ
３、３００  緊急地震速報管理サーバ
４  端末装置
５  外部ネットワーク
１０、５００  通信システム
１０１  主制御部
１０２  電源管理部
１０３  電池
１０４  ＷｉＭＡＸ２＋網送受信回路部
１０５  ＷｉＭＡＸ２＋網インターフェース部
１０６  ２ＧＨｚの無線ＬＡＮ送受信回路部
１０７  ２ＧＨｚの無線ＬＡＮインターフェース部
１０８  緊急地震速報サーバ監視部
１０９  暗号化キー切替判定部
２０１  主制御部
２０２  ２ＧＨｚの無線ＬＡＮ送受信回路部
２０３  ２ＧＨｚの無線ＬＡＮインターフェース部
２０４  ５ＧＨｚの無線ＬＡＮ送受信回路部
２０５  ５ＧＨｚの無線ＬＡＮインターフェース部
２０６  有線ＬＡＮ送受信回路部
２０７  光回線インターフェース部
２０８  親機／中継機切替判定部
２０９  パケット受信監視部
４０１  基地局
４０２  インターネット網
４０３  光回線事業者の収容局
４０４  第１子機
４０５  第２子機
【図１】
2020061697.tif 000003
【図２】
2020061697.tif 000004
【図３】
2020061697.tif 000005
【図４】
2020061697.tif 000006
【図５】
2020061697.tif 000007
【図６】
2020061697.tif 000008
【図７】
2020061697.tif 000009
【図８】
2020061697.tif 000010
【図９】
2020061697.tif 000011
【図１０】
2020061697.tif 000012